(57)【特許請求の範囲】
【請求項１】
自己が管理する第１のセル内に位置する加入者端末装置を収容し、前記加入者端末装置の通信を管理する第１の加入者局装置と、
前記第１の加入者局装置に接続し、情報配信の対象である配信情報を保持する配信端末と、
前記第１の加入者局装置に接続する第１の基地局と、
自己が管理する第２のセル内に位置する加入者端末装置を収容し、前記加入者端末装置の通信を管理する第２の加入者局装置と、
前記第２の加入者局装置を第２の基地局に接続させる第２のゲートウェイ装置と、
前記第２の加入者局装置と、前記第２のゲートウェイ装置を介して接続する第２の基地局と、
前記第２の加入者局装置と、前記第２のゲートウェイ装置を介して接続する配信管理サーバと、
前記第２の加入者局装置と、前記第２のゲートウェイ装置を介して接続する放送コンテンツ用配信サーバと、
前記第１の基地局と前記第２の基地局とを接続する接続手段と、
を含み、
前記配信端末は、配信を行う場所である指定セルと、配信を行う指定時間帯と、を前記配信管理サーバに送信し、
前記配信管理サーバは、現在時刻が、前記送信された指定時間帯になった場合に、配信指定の要求を前記第２の加入者局装置に送信し、
前記第２の加入者局装置は、上記配信指定の要求に応じて、配信開始の要求を、前記配信端末に送信し、
前記配信端末は、前記配信開始の要求を受信した場合に、前記第２の加入者装置に配信情報を送信し、
前記第２の加入者装置は、前記配信情報を受信した場合に、前記加入者端末に前記配信情報を送信することを特徴とする情報配信システム。
【請求項２】
インターネットに接続しており、情報配信の対象である配信情報を保持する配信端末と、
前記配信端末とインターネットを介して接続している第１のゲートウェイ装置と、
前記第１のゲートウェイ装置に接続している第１の基地局と、
自己が管理する第２のセル内に位置する加入者端末装置を収容し、前記加入者端末装置の通信を管理する第２の加入者局装置と、
前記第２の加入者局装置を第２の基地局に接続させる第２のゲートウェイ装置と、
前記第２の加入者局装置と、前記第２のゲートウェイ装置を介して接続する第２の基地局と、
前記第２の加入者局装置と、前記第２のゲートウェイ装置を介して接続する配信管理サーバと、
前記第２の加入者局装置と、前記第２のゲートウェイ装置を介して接続する放送コンテンツ用配信サーバと、
前記第１の基地局と前記第２の基地局とを接続する接続手段と、
を含み、
前記配信端末は、配信を行う場所である指定セルと、配信を行う指定時間帯と、を前記配信管理サーバに送信し、
前記配信管理サーバは、現在時刻が、前記送信された指定時間帯になった場合に、配信指定の要求を前記第２の加入者局装置に送信し、
前記第２の加入者局装置は、上記配信指定の要求に応じて、配信開始の要求を、前記配信端末に送信し、
前記配信端末は、前記配信開始の要求を受信した場合に、前記第２の加入者装置に配信情報を送信し、
前記第２の加入者装置は、前記配信情報を受信した場合に、前記加入者端末に前記配信情報を送信することを特徴とする情報配信システム。
【請求項３】
自己が管理する第１のセル内に位置する加入者端末装置を収容し、前記加入者端末装置の通信を管理する第１の加入者局装置と、
前記第１の加入者局装置に接続し、情報配信の対象である配信情報を保持する配信端末と、
前記第１の加入者局装置に接続する第１の基地局と、
自己が管理する第２のセル内に位置する加入者端末装置を収容し、前記加入者端末装置の通信を管理する第２の加入者局装置と、
前記第２の加入者局装置を第２の基地局に接続させる第２のゲートウェイ装置と、
前記第２の加入者局装置と、前記第２のゲートウェイ装置を介して接続する第２の基地局と、
前記第２の加入者局装置と、前記第２のゲートウェイ装置を介して接続する配信管理サーバと、
前記第２の加入者局装置と、前記第２のゲートウェイ装置を介して接続する配信情報蓄積サーバと、
を含み、
前記配信端末は、配信を行う場所である指定セルと、配信を行う指定時間帯と、を前記配信管理サーバに送信し、
前記配信管理サーバは、送信されてきた前記指定セルと前記指定時間帯とを、前記配信情報蓄積サーバに送信して配信指定の要求を行い、
前記配信情報蓄積サーバは、現在時刻が、前記送信された指定時間帯に達する度に、配信開始の要求を前記配信端末に送信し、
前記配信端末は、前記配信開始の要求を受信した場合に、前記第２の加入者装置に配信情報を送信し、
前記第２の加入者装置は、前記配信情報を受信した場合に、前記加入者端末に前記配信情報を送信することを特徴とする情報配信システム。
【請求項４】
インターネットに接続しており、情報配信の対象である配信情報を保持する配信端末と、
前記配信端末とインターネットを介して接続している第１のゲートウェイ装置と、
前記第１のゲートウェイ装置に接続している第１の基地局と、
自己が管理する第２のセル内に位置する加入者端末装置を収容し、前記加入者端末装置の通信を管理する第２の加入者局装置と、
前記第２の加入者局装置を第２の基地局に接続させる第２のゲートウェイ装置と、
前記第２の加入者局装置と、前記第２のゲートウェイ装置を介して接続する第２の基地局と、
前記第２の加入者局装置と、前記第２のゲートウェイ装置を介して接続する配信管理サーバと、
前記第２の加入者局装置と、前記第２のゲートウェイ装置を介して接続する配信情報蓄積サーバと、
を含み、
前記配信端末は、配信を行う場所である指定セルと、配信を行う指定時間帯と、を前記配信管理サーバに送信し、
前記配信管理サーバは、送信されてきた前記指定セルと前記指定時間帯とを、前記配信情報蓄積サーバに送信して配信指定の要求を行い、
前記配信情報蓄積サーバは、現在時刻が、前記送信された指定時間帯に達する度に、配信開始の要求を前記配信端末に送信し、
前記配信端末は、前記配信開始の要求を受信した場合に、前記第２の加入者装置に配信情報を送信し、
前記第２の加入者装置は、前記配信情報を受信した場合に、前記加入者端末に前記配信情報を送信することを特徴とする情報配信システム。
【請求項５】
請求項１又は３のいずれかに記載の情報配信システムにおいて、
前記第１の加入者局装置と、前記第１の基地局とを接続する第１のゲートウェイ装置、
を含むことを特徴とする情報配信システム。
【請求項６】
自己が管理するセル内に位置する加入者端末装置を収容し、前記加入者端末装置の通信を管理する加入者局装置と、
前記加入者局装置に接続するゲートウェイ装置と、
前記加入者局装置と、前記ゲートウェイ装置を介して接続する配信管理サーバと、
前記加入者局装置と、前記ゲートウェイ装置を介して接続し、配信情報を蓄積している配信情報蓄積サーバと、
を含み、
前記配信管理サーバは、配信する時間帯である指定時間帯を含む配信指定要求を、前記加入者局装置に送信し、
前記加入者局装置は、現在時刻が、指定時間帯に達した場合、前記配信情報蓄積サーバに配信開始要求を送信し、
前記配信情報蓄積サーバは、前記配信開始要求を受信した場合に、前記加入者装置に配信情報を送信し、
前記加入者装置は、前記配信情報を受信した場合に、前記加入者端末に前記配信情報を送信することを特徴とする情報配信システム。
【発明の詳細な説明】
【技術分野】
【０００１】
本発明は、ネットワーク通信システムに関し、また、その通信システムに利用される通信装置に関する。さらに、その通信装置を実現するプログラムに関する。
【背景技術】
【０００２】
近年、メッシュ網ネットワークサービスシステムの利用が広く検討されている。このメッシュ網ネットワークサービスシステムを利用した、観光地のサービスシステムや地方公共団体のネットワークが種々検討されている。また、店舗や企業等が宣伝等の情報を発信する情報配信サービスを提供しようとする場合にも、このメッシュ網ネットワークサービスシステムの利用が広く検討されている。
【０００３】
本特許では、メッシュ網ネットワークサービスシステムと呼んでいるが、単にメッシュ網（ネット）と呼ぶことや、単にメッシュネットワークと呼ばれることもある。また、メッシュ網ネットワークサービスシステムは、メッシュ型ネットワーク網と呼ぶこともある。
【０００４】
例えば下記特許文献１には、店舗から顧客に対して特売品に関する情報とその特売品を食材とするレシピ情報と割引クーポンとを携帯端末に配信する情報配信システムの技術が記述されている。
【０００５】
【特許文献１】特開２００３−２１６８６０号公報
【発明の開示】
【発明が解決しようとする課題】
【０００６】
さて、店舗や企業等の情報提供者は、配信情報を配信する際に、配信先の地域と配信を行う時間帯とを指定したい場合もある。  
しかしながら、その配信先の地域や、配信時間帯等を指定して配信を行うサービスは複雑になりがちであり、円滑にサービス提供を行えるシステムは未だ知られていない。
【０００７】
本発明は、このような事情に鑑みなされたものであり、その目的は、情報配信先である地域や、情報配信を行う時間帯等を指定することができるシステムを提供することである。
【課題を解決するための手段】
【０００８】
本発明は、上記課題を解決するために、以下の手段を採用する。
【０００９】
（１）上記課題を解決するために、本発明は、自己が管理する第１のセル内に位置する加入者端末装置を収容し、前記加入者端末装置の通信を管理する第１の加入者局装置と、前記第１の加入者局装置に接続し、情報配信の対象である配信情報を保持する配信端末と、前記前記第１の加入者局装置に接続する第１の基地局と、自己が管理する第２のセル内に位置する加入者端末装置を収容し、前記加入者端末装置の通信を管理する第２の加入者局装置と、前記第２の加入者局装置を第２の基地局に接続させる第２のゲートウェイ装置と、前記第２の加入者局装置と、前記第２のゲートウェイ装置を介して接続する第２の基地局と、前記第２の加入者局装置と、前記第２のゲートウェイ装置を介して接続する配信管理サーバと、前記第２の加入者局装置と、前記第２のゲートウェイ装置を介して接続する放送コンテンツ用配信サーバと、前記第１の基地局と前記第２の基地局とを接続する接続手段と、を含み、前記配信端末は、配信を行う場所である指定セルと、配信を行う指定時間帯と、を前記配信管理サーバに送信し、前記配信管理サーバは、現在時刻が、前記送信された指定時間帯になった場合に、配信指定の要求を前記第２の加入者局装置に送信し、前記第２の加入者局装置は、上記配信指定の要求に応じて、配信開始の要求を、前記配信端末に送信し、前記配信端末は、前記配信開始の要求を受信した場合に、前記第２の加入者装置に配信情報を送信し、前記第２の加入者装置は、前記配信情報を受信した場合に、前記加入者端末に前記配信情報を送信することを特徴とする情報配信システムである。
【００１０】
このような構成によって、リアルタイムに配信情報を加入者端末に配信することができる。
【００１１】
（２）また、本発明は、インターネットに接続しており、情報配信の対象である配信情報を保持する配信端末と、前記配信端末とインターネットを介して接続している第１のゲートウェイ装置と、前記前記第１のゲートウェイ装置に接続している第１の基地局と、自己が管理する第２のセル内に位置する加入者端末装置を収容し、前記加入者端末装置の通信を管理する第２の加入者局装置と、前記第２の加入者局装置を第２の基地局に接続させる第２のゲートウェイ装置と、前記第２の加入者局装置と、前記第２のゲートウェイ装置を介して接続する第２の基地局と、前記第２の加入者局装置と、前記第２のゲートウェイ装置を介して接続する配信管理サーバと、前記第２の加入者局装置と、前記第２のゲートウェイ装置を介して接続する放送コンテンツ用配信サーバと、前記第１の基地局と前記第２の基地局とを接続する接続手段と、を含み、前記配信端末は、配信を行う場所である指定セルと、配信を行う指定時間帯と、を前記配信管理サーバに送信し、前記配信管理サーバは、現在時刻が、前記送信された指定時間帯になった場合に、配信指定の要求を前記第２の加入者局装置に送信し、前記第２の加入者局装置は、上記配信指定の要求に応じて、配信開始の要求を、前記配信端末に送信し、前記配信端末は、前記配信開始の要求を受信した場合に、前記第２の加入者装置に配信情報を送信し、前記第２の加入者装置は、前記配信情報を受信した場合に、前記加入者端末に前記配信情報を送信することを特徴とする情報配信システムである。
【００１２】
このような構成によって、配信端末がインターネット上に存在する場合でも、リアルタイムに情報配信を行うことができる。
【００１３】
（３）また、本発明は、自己が管理する第１のセル内に位置する加入者端末装置を収容し、前記加入者端末装置の通信を管理する第１の加入者局装置と、前記第１の加入者局装置に接続し、情報配信の対象である配信情報を保持する配信端末と、前記前記第１の加入者局装置に接続する第１の基地局と、自己が管理する第２のセル内に位置する加入者端末装置を収容し、前記加入者端末装置の通信を管理する第２の加入者局装置と、前記第２の加入者局装置を第２の基地局に接続させる第２のゲートウェイ装置と、前記第２の加入者局装置と、前記第２のゲートウェイ装置を介して接続する第２の基地局と、前記第２の加入者局装置と、前記第２のゲートウェイ装置を介して接続する配信管理サーバと、前記第２の加入者局装置と、前記第２のゲートウェイ装置を介して接続する配信情報蓄積サーバと、を含み、前記配信端末は、配信を行う場所である指定セルと、配信を行う指定時間帯と、を前記配信管理サーバに送信し、前記配信管理サーバは、送信されてきた前記指定セルと前記指定時間帯とを、前記配信情報情報蓄積サーバに送信して配信指定の要求を行い、前記配信情報蓄積サーバは、現在時刻が、前記送信された指定時間帯に達する度に、配信配信開始の要求を前記配信端末に送信し、前記配信端末は、前記配信開始の要求を受信した場合に、前記第２の加入者装置に配信情報を送信し、前記第２の加入者装置は、前記配信情報を受信した場合に、前記加入者端末に前記配信情報を送信することを特徴とする情報配信システムである。
【００１４】
このような構成によって、定期的に配信情報を加入者端末に配信することができる。
【００１５】
（４）また、本発明は、インターネットに接続しており、情報配信の対象である配信情報を保持する配信端末と、前記配信端末とインターネットを介して接続している第１のゲートウェイ装置と、前記前記第１のゲートウェイ装置に接続している第１の基地局と、自己が管理する第２のセル内に位置する加入者端末装置を収容し、前記加入者端末装置の通信を管理する第２の加入者局装置と、前記第２の加入者局装置を第２の基地局に接続させる第２のゲートウェイ装置と、前記第２の加入者局装置と、前記第２のゲートウェイ装置を介して接続する第２の基地局と、前記第２の加入者局装置と、前記第２のゲートウェイ装置を介して接続する配信管理サーバと、前記第２の加入者局装置と、前記第２のゲートウェイ装置を介して接続する配信情報蓄積サーバと、を含み、前記配信端末は、配信を行う場所である指定セルと、配信を行う指定時間帯と、を前記配信管理サーバに送信し、前記配信管理サーバは、送信されてきた前記指定セルと前記指定時間帯とを、前記配信情報情報蓄積サーバに送信して配信指定の要求を行い、前記配信情報蓄積サーバは、現在時刻が、前記送信された指定時間帯に達する度に、配信配信開始の要求を前記配信端末に送信し、前記配信端末は、前記配信開始の要求を受信した場合に、前記第２の加入者装置に配信情報を送信し、前記第２の加入者装置は、前記配信情報を受信した場合に、前記加入者端末に前記配信情報を送信することを特徴とする情報配信システムである。
【００１６】
このような構成によって、配信端末がインターネット上に存在する場合でも、定期的に情報配信を行うことができる。  
（５）また、本発明は、上記（１）又は（３）記載の情報配信システムにおいて、前記第１の加入者局装置と、前記第１の基地局とを接続する第１のゲートウェイ装置、を含むことを特徴とする情報配信システムである。
【００１７】
このような構成によれば、第１の基地局、第２の基地局下の構成を統一することができる。
【００１８】
（６）また、本発明は、自己が管理するセル内に位置する加入者端末装置を収容し、前記加入者端末装置の通信を管理する加入者局装置と、前記加入者局装置に接続するゲートウェイ装置と、前記加入者局装置と、前記ゲートウェイ装置を介して接続する配信管理サーバと、前記加入者局装置と、前記ゲートウェイ装置を介して接続し、配信情報を蓄積している配信情報蓄積サーバと、を含み、前記配信管理サーバは、配信する時間帯である指定時間帯を含む配信指定要求を、前記加入者局装置に送信し、前記加入者局装置は、現在時刻が、指定時間帯に達した場合、前記配信情報蓄積サーバに配信開始要求を送信し、前記配信情報蓄積サーバは、前記配信開始要求を受信した場合に、前記加入者装置に配信情報を送信し、前記加入者装置は、前記配信情報を受信した場合に、前記加入者端末に前記配信情報を送信することを特徴とする情報配信システムである。
【００１９】
このような構成によれば、予め配信情報を蓄積しておいているので、配信端末又はそれに類する事業者側（店舗等）の設備を稼働させておく必要がない。
【発明の効果】
【００２０】
以上述べたように、本発明によれば、配信先の地域を指定した配信が可能となる。また、本発明によれば、配信動作の時間帯を指定した配信を行うことが可能となる。
【発明を実施するための最良の形態】
【００２１】
以下、本発明の好適な実施の形態を図面に基づいて説明する。
【００２２】
第１章  概要
まず、本実施の形態で説明するシステムの概要を説明する（図１参照）。
【００２３】
特徴
従来の情報配信システムは、場所を指定して情報配信することは困難であった。これに対して、本実施の形態の情報配信システムは、アクセスエリアを一定の範囲に限定することによって、その一定の範囲を特定の場所として指定し（指定した特定の場所をホットスポットと呼ぶ）、ホットスポット内に存在する利用者に対してスポット的に情報配信を行うシステムである。
【００２４】
サービスの提供形態
本実施の形態に係る情報配信システムは、指定したホットスポット内に、指定した時間に存在する利用者に対して、リアルタイムあるいは定期的にコマーシャル情報や地域情報などのプッシュ型情報配信を実現する。
【００２５】
本実施の形態においては、情報配信サービスを利用したい情報提供者３０をシステムに登録する。登録の詳細は後に詳述する。本実施の形態の情報配信システムは、この登録した情報提供者３０からの情報を管理し、ホットスポットに存在する加入者局１０に対して、配信情報のタイムスケジューリングを行う。このような動作によって、最終的な利用者に対して様々な情報を提供することが可能である。
【００２６】
本実施の形態の情報配信システム５のサービスモデルの概念図が図１に示されている。
【００２７】
図１に示す情報提供者３０とは、本情報配信システム網に接続している店舗や企業等であり、配信情報を保有している。情報提供者３０は、図１（ａ）に示すように、情報配信サービスを管理している事業者４０に情報配信サービスの登録及び配信情報の指定を行う。
【００２８】
次に、情報提供者３０は、本システムの情報配信サービスを利用することによって、加入者局１０に対してタイムスケジューリングに基づいた配信をすることができる。そして、情報提供者３０は、図１（ｂ）に示すように、加入者局１０に対して、ホットスポットに存在する利用者５０に対して配信するべき前記配信情報を送信する。
【００２９】
図１に示す情報配信サービスを管理している事業者４０は、本情報配信サービスに登録している情報提供者３０からの情報を管理する。また、事業者４０は、前記情報提供者３０の認証や登録（図１（ａ）参照）を行う。そして、事業者４０は、情報提供者３０に対して配信可能な場所やタイムテーブル等のサービス情報を提供する。情報提供者３０は、提供された場所やタイムテーブル等の情報に基づき、必要な情報を適宜加入者局１０に送信する。詳しくは、後述する。
【００３０】
加入者局１０は、図１（ｄ）に示すように、本システムの情報配信サービスを管理している事業者４０と相互に配信情報の設定を行う。また、図１（ｃ）に示すように、情報提供者３０に配信情報の要求をする。
【００３１】
第２章  構成
本実施の形態の情報配信システム５の具体的なシステム構成が図２に示されている。この情報配信システム５は、情報配信システム５が提供する情報配信サービスに参加している店舗／企業からの配信情報を基地局１２上のシステムで管理することにより、各セル１００内に存在する端末に対して配信するシステムである。
【００３２】
まず、基地局１２は、外部網６０や情報配信サービスに参加している店舗４０、さらに商業ビル５０からの配信情報をその基地局１２上のシステムで管理する。
【００３３】
図２に示すように、商業ビル７０が提供する情報は映像情報（３）であり、店舗４０が提供する情報は、映像情報（２）である。また、外部網６０から送られてくる情報は映像情報（１）である。  
店舗４０や商業ビル５０は、基地局１２が管理するサービスエリア内に位置しており、それらから提供される情報は、加入者局１０ｘ、１０ｙを介して基地局１２が受信する。
【００３４】
次に、基地局１２は、図２（ｄ）、（ｅ）、（ｆ）に示すように、その基地局１２のサービスエリアに存在する加入者局１０ａ、１０ｂ、１０ｃに対して前記配信情報を配信する。
【００３５】
加入者局１０ａは、基地局１２から配信された情報を、加入者局１０ａのアクセススポット（すなわち、セル）内に存在する利用者のパソコン１４と携帯端末１６ａとに配信する。
【００３６】
同様に、加入者局１０ｂは、基地局１２から配信された情報を、その加入者局１０ｂのアクセススポット（セル）内に存在する利用者の携帯端末１６ａと携帯端末１６ｂとに配信する。  
また、同様に、加入者局１０ｃは、加入者局１０ｃのアクセススポット（セル）内に存在する利用者の複数の携帯端末１６ａに基地局１２から配信された情報を配信する。
【００３７】
第３章  サービスの具体例
本実施の形態の情報配信システムにおいて、以下４つのサービスの具体的な例について説明する。
【００３８】
３−１  情報配信サービスセッション（１） 
情報配信サービスセッション（１）の説明図を図３に示す。情報配信サービスセッション（１）は、サービスセル−１の店舗の宣伝を、サービスセル−２内の加入者局１０ｂに接続している加入者端末２６に対して、リアルタイムに情報配信することが可能である。
【００３９】
まず、図３に示されているように、基地局１２ａは基地局１２ｂと接続している。図２に示す基地局１２は情報配信サービスシステム５を管理する基地局１２であるが、実際にはシステム中に複数個存在することが好ましい。複数の基地局１２はネットワークによって互いに接続されており、情報配信のデータや、各種制御情報を送受信している。  
図３に示す例では、説明をわかりやすくするために、２個の基地局１２ａ、１２ｂの例を示す。
【００４０】
なお、基地局１２ａの下には、サービスセル−１を管理する加入者局１０ａが接続している。同様に、基地局１２ｂとの下には、サービスセル−２を管理する加入者局１０ｂが接続している（図３参照）。
【００４１】
また、図３に示されているように、サービスセル−１を管理する加入者局１０ａは、ＶＰＮサービスＧＷ１８ａを介して基地局１２ａに接続する。また、加入者局１０ａには、配信端末２４が接続する。なお、本件において、ＧＷとはゲートウェイを意味する。
【００４２】
さらに、基地局１２ａと加入者局１０ａとを接続するＶＰＮサービスＧＷ１８ａには、配信管理サーバ２０ａが接続する。配信管理サーバ２０ａの動作については後述する。
【００４３】
一方、図３に示されているように、サービスセル−２を管理する加入者局１０ｂも加入者局１０ａ同様に、ＶＰＮサービスＧＷ１８ｂを介して基地局１２ｂに接続する。また、その加入者局１０ｂには、複数の加入者端末２６が接続する。サービスセル−２内のＶＰＮサービスＧＷ１８ｂにも、サービスセル−１と同様に配信管理サーバ２０ｂが接続する。
【００４４】
本実施の形態の情報配信システム５を構成するＵＮＩＴ機能図を図４に示す。前記ＶＰＮサービスＧＷ１８は、図４（１）に示すようにセッション端末機能部と、セッションプロキシ制御部と、ネットワーク部と、の各機能ブロックで構成されている。
【００４５】
セッション端末機能部は、画像情報データの送受信の際に機能する。セッションプロキシ制御部は、転送先へのプロキシサーバの機能を実行する。ネットワーク部は、Ｕｎｉｃａｓｔと、Ｍｕｌｔｉｃａｓｔと、Ｂｒｏａｄｃａｓｔと、のプロトコル変換を行う。
【００４６】
また、ネットワーク部は、配信管理サーバ２０と、放送コンテンツ用配信サーバ２２と、基地局１２と、加入者局１０と、のパケットスイッチを実行する。放送コンテンツ用配信サーバ２２の動作は後に詳述する。
【００４７】
また、図４（２）に示すように、加入者局１０はＶＰＮサービスＧＷ１８同様に、セッション端末機能部と、セッションプロキシ制御部と、ネットワーク部と、の各機能ブロックで構成されている。
【００４８】
また、図４（３）に示すように、配信管理サーバ２０は、番組のスケジュール用ＵＩを所有する。具体的には、配信管理サーバ２０は、番組管理ＡＰＰ（ＵＩ）と、セッション端末機能部と、ネットワーク部と、の各機能ブロックで構成されている。ここで、ＡＰＰとは、アプリケーションプログラムを言う。また、ＵＩとは、ユーザーインターフェースを表す。また、番組とは、配信情報の内容を言い、そのスケジュールとは、配信情報の配信スケジュールを言う。
【００４９】
また、図４（４）に示すように、放送コンテンツ用配信サーバ２２は、コンテンツのストレージ／ストレージ管理／コンテンツ配信機能を所有する。具体的には、放送コンテンツ用配信サーバ２２は、配信用ＡＰＰと、ストレージ管理ＡＰＰと、セッション端末機能部と、ネットワーク部と、コンテンツストレージ部と、の機能ブロックで構成されている。
【００５０】
さらに、放送コンテンツ用配信サーバ２２には、コンテンツを保管するためのコンテンツストレージ１２２が備えられている。この放送コンテンツ用配信サーバ２２は、サービスセッションによっては、配信情報蓄積サーバ２８と呼ぶ。上記コンテンツストレージ１２２は、配信情報蓄積サーバ２８として使用する場合に配信情報（コンテンツ）を蓄積する役割を果たす。
【００５１】
また、図４（５）に示すように、配信端末２４（店舗用／企業用）は、コンテンツの取り込みと、編集機能／コンテンツ配信機能を所有する。具体的には、配信端末２４（店舗用／企業用）は、配信用ＡＰＰと、編集用ＡＰＰと、セッション端末機能部と、ネットワーク部と、外部メディア接続と、の各機能ブロックで構成されている。
【００５２】
以下、情報配信サービスセッション（１）の具体的な動作を説明する。この、情報配信サービスセッション（１）は、店舗の宣伝等を、リアルタイムに配信するサービスセッションである。
【００５３】
定期的な配信や、蓄積された情報の配信等は、情報配信サービスセッション（２）や（３）において後に詳述する。
【００５４】
（動作１）登録
まず、図３に示す（ａ）の動作のように、サービスセル−１の配信端末２４は、サービスセル−２の配信管理サーバ２０ｂに配信登録の要求をする。この配信登録の要求では、システムへの登録の要求と共に、配信可能な場所の情報とタイムテーブル情報との提供も要求する。
【００５５】
なお、配信可能な場所とは、サービスセルで記述する。この結果、セル単位で場所が指定されるのである。したがって、配信可能な場所とは、配信の対象とすることができるサービスセルを羅列した情報となる。
【００５６】
また、このタイムテーブル情報とは、配信端末２４がリアルタイムで配信情報を配信することが可能な時間帯の情報である。
【００５７】
このような配信登録要求に対して、図３（ｂ）に示すように、サービスセル−２の配信管理サーバ２０ｂは、配信端末２４の登録を行うと共に、上記の情報が配信端末２４に送信される。これを「配信登録の応答」と呼ぶ。  
すなわち、配信管理サーバ２０ｂは、サービスセル−１の配信端末２４に対して、配信登録の応答を実行するが、その内容は具体的には、配信可能な場所の情報とリアルタイムに配信することが可能な時間帯の情報とを配信端末２４に送信することである。
【００５８】
（動作２）配信場所と時間指定の設定
さて、上記配信登録の応答を受信した配信端末２４は、次に、配信場所と時間を指定（設定）する。
【００５９】
まず、配信端末２４は、上記動作１で取得した情報の中から、配信を希望する場所とリアルタイムに配信したい時間帯とを選択する。選択した後、配信端末２４は、図３（ｃ）に示すように、その選択した配信を希望する場所とリアルタイムに配信したい時間帯との情報をサービスセル−２の配信管理サーバ２０ｂに送信する。
【００６０】
これらの情報を受信した配信管理サーバ２０ｂは、図３（ｄ）に示すように、配信端末２４に対して配信端末２４が配信を希望する場所とリアルタイムに配信したい時間帯とに配信することを許可する旨を送信する。
【００６１】
以上の動作を、「配信場所と時間指定の設定」と呼ぶ。
【００６２】
（動作３）データ転送準備
上記動作２の後、配信管理サーバ２０ｂは、データの転送を準備する。すなわち、図３（ｅ）に示すように、配信管理サーバ２０ｂは、サービスセル−２の加入者局１０に配信指定の要求を行う。この要求中には、上記指定された時間帯の情報等が含まれる。
【００６３】
これに対する応答として、図３（ｆ）に示すように、サービスセル−２の加入者局１０ｂは、サービスセル−２の配信管理サーバ２０ｂに配信指定の応答を行い、要求を確実に受信したことを伝える。
【００６４】
（動作４）データ転送開始
動作３の後、上述した動作２の時間指定で指定した所定の時間帯になった場合に、サービスセル−１の配信端末２４は、データの転送を開始する。具体的な動作を下に述べる。
【００６５】
まず、図３（ｇ）に示すように、指定されたサービスセル−２の加入者局１０ｂは、サービスセル−１の配信端末２４に配信開始の要求を行う。これに応じて、図３（ｈ）に示すように、配信端末２４から加入者局１０ｂに配信開始の応答がなされる。
【００６６】
次に、図３（ｉ）に示すように、配信端末２４は、加入者局１０ｂにデータを送信する。なお、そのデータはＵｎｉｃａｓｔで送信する。  
そして、図３（ｊ）に示すように、加入者局１０ｂは、サービスセル−２の加入者端末２６に対してデータを送信する。なお、そのデータは、Ｍｕｌｔｉｃａｓｔ、又はＢｒｏａｄｃａｓｔで送信される。
【００６７】
このようにして、配信端末２４は、自己の店舗の宣伝情報等を、指定した時間帯中、リアルタイムに配信することができる。特に、その配信先をサービスセル−２に指定しているので、配信場所を指定した配信を実現することができる。
【００６８】
本実施の形態では、指定した配信場所として単一のサービスセル−２の例を説明したが、複数のサービスセルを選択・指定することも好ましい。
【００６９】
（動作５）データ転送停止
さて、指定された時間帯が経過すると、データ転送は終了する。その際の動作を以下説明する。
【００７０】
まず、図３（ｋ）に示すように、サービスセル−２の加入者局１０ｂは、指定された時間帯が経過したことを検出すると、サービスセル−１の配信端末２４に配信停止を要求する。これに対応して、図３（ｌ）に示すように、サービスセル−１の配信端末２４から、サービスセル−２の加入者局１０に配信を停止した旨の応答が返される。この際、配信端末２４は、「リアルタイムに情報を配信する動作」を停止する。  
そして、図３（ｍ）に示すように、サービスセル−２の加入者局１０ｂからサービスセル−２の配信管理サーバ２０に配信終了の報告がなされる。
【００７１】
以上述べたように、本サービスセッション（１）によれば、指定した時間帯において配信端末２４はリアルタイムに店舗情報等の情報配信を行うことができる。
【００７２】
３−２  放送サービスセッション（２）
次に、放送サービスセッション（２）の動作を説明する。この放送サービスセッション（２）の動作の説明図が図５に示されている。放送サービスセッション（２）は、サービスサービスセル−１の店舗の宣伝を、サービスサービスセル−２内の指定した加入者局１０に接続している加入者端末２６に対して、「定期的」に情報配信することを可能とするサービスである。この配信は、配信情報蓄積サーバ２８を利用して実行する。
【００７３】
まず、図５に示されているように、基地局１２ａと基地局１２ｂとが互いに接続している。
【００７４】
そして、基地局１２ａの下には、サービスセル−１を管理する加入者局１０ａが接続している。同様に、基地局１２ｂとの下には、サービスセル−２を管理する加入者局１０ｂが接続している（図５参照）。
【００７５】
また、図５に示されているように、サービスセル−１を管理する加入者局１０ａは、ＶＰＮサービスＧＷ１８ａを介して基地局１２ａに接続する。また、加入者局１０ａには、配信端末２４が接続する。
【００７６】
さらに、基地局１２ａと加入者局１０ａとを接続するＶＰＮサービスＧＷ１８ａには、放送コンテンツ用配信サーバ２２ａと配信管理サーバ２０ａとが接続する。これらの構成は、図３と基本的に同様である。
【００７７】
一方、図５に示されているように、サービスセル−２を管理する加入者局１０ｂも加入者局１０ａ同様に、ＶＰＮサービスＧＷ１８ｂを介して基地局１２ｂに接続する。また、その加入者局１０ｂには、複数の加入者端末２６が接続する。サービスセル−２内のＶＰＮサービスＧＷ１８ｂにも、サービスセル−１と同様に、放送コンテンツ用配信サーバ２２ｂと配信管理サーバ２０ｂとが接続する。
【００７８】
以下、放送サービスセッション（２）の具体的な動作を説明する。この放送サービスセッション（２）は、店舗の宣伝等を、「定期的に」配信するサービスセッションである。
【００７９】
（動作１）登録
まず、図５（ａ）に示すように、サービスセル−１の配信端末２４は、サービスセル−２の配信管理サーバ２０に配信登録の要求をする。この配信登録の要求では、配信可能な場所とタイムテーブル情報を要求する。これに対応して、図５（ｂ）に示すように、サービスセル−２の配信管理サーバ２０は、配信端末２４の登録を行うと共に、配信端末２４に対して配信登録の応答を返す。
【００８０】
この応答中には、要求された配信可能な場所とタイムテーブル情報が含まれる。これらの情報を、配信端末２４は受け取る。
【００８１】
（動作２）配信場所と指定時間の設定
次に、配信端末２４は、上記取得した配信可能な場所とタイムテーブル情報から配信を望む場所と時間を選択し、選択した配信場所と指定時間の設定を行う。
【００８２】
図５（ｃ）に示すように、配信端末２４は、サービスセル−２の配信管理サーバ２０ｂに対して、配信許可の要求を行う。この配信許可の要求では、配信指定場所と指定時間情報を送信する。
【００８３】
これに対応して、サービスセル−２の配信管理サーバ２０ｂは、配信の指定場所と指定時間とを登録する。さらに、配信管理サーバ２０ｂは、図５（ｄ）に示すように、配信端末２４に配信許可の応答を返す。
【００８４】
（動作３）データ転送準備
次に、サービスセル−２の配信管理サーバ２０ｂは、データの転送を準備する。図５（ｅ）に示すように、サービスセル−２の配信管理サーバ２０ｂは、サービスセル−２の配信情報蓄積サーバ２８ｂに配信指定の要求を行う。この要求に対応して、配信情報蓄積サーバ２８ｂは、図５（ｆ）に示すように、配信管理サーバ２０ｂに配信指定の応答を返す。
【００８５】
（動作４）データ転送開始
図５（ｇ）に示すように、サービスセル−２の配信情報蓄積サーバ２８ｂは、定期的な配信の準備のために、サービスセル−１の配信端末２４に配信開始の要求を行う。これに対応して、図５（ｈ）に示すように、配信端末２４は、配信情報蓄積サーバ２８ｂに配信開始の応答を行う。
【００８６】
さらに、図５（ｉ）に示すように、配信端末２４は、サービスセル−２の配信情報蓄積サーバ２８ｂにデータを送信する。なお、そのデータはＵｎｉｃａｓｔで送信する。
【００８７】
なお、この図５は、定期配信の準備を行うシステムフローの説明図である。実際のデータを流すフローは。図６において説明する。
【００８８】
（動作５）データ転送停止
本放送サービスセッション（２）は、定期的な配信動作を実現するものである。所定の時間が経過した場合に、データ転送は停止する。データ転送が停止される様子は以下の通りである。
【００８９】
まず、図５（ｊ）に示すように、サービスセルー１の配信端末２４がサービスセル−２の配信情報蓄積サーバ２８ｂに対してはい指定し要求を送信する。  
サービスセル−１の配信端末２４に配信停止を要求する。
【００９０】
これに対応して、図５（ｋ）に示すように、サービスセル−２の配信情報蓄積サーバ２８ｂは、サービスセル−１の配信端末２４、に所定の応答を返す。そして、図５（ｌ）に示すように、サービスセル−２の配信情報蓄積サーバ２８ｂは、サービスセル−２の配信管理サーバ２０に配信停止の報告を行う。この配信停止の報告は、同時に次回の配信準備完了報告でもある。
【００９１】
以上のようにして、放送サービスセッション（２）によって、放送サービスセッションのデーあの転送準備が完了する。もちろん、定期的な配信動作であるので、定期的に上記「データ転送開始」−「データ転送停止」が繰り返されるのは言うまでもない。
【００９２】
３−３  放送サービスセッション（３）
放送サービスセッション（３）の動作を説明する。図５は、定期配信の準備を行うシステムフローであり、放送サービスセッション（３）の動作は、実際のデータの転送である。すなわち、図６（放送サービスセッション（３））には実際のデータを流すフローが示されている。
【００９３】
さて、放送サービスセッション（３）は、配信管理サーバ２０が、配信情報蓄積サーバ２８に蓄積された店舗の宣伝を、サービスセル１００の加入者局１０に接続している加入者端末２６に対して、定期的に情報を配信することを可能とするものである。
【００９４】
図６に示されているように、サービスセル１００内のＶＰＮサービスＧＷ１８には、配信情報蓄積サーバ２８と配信管理サーバ２０とが接続している。また、このＶＰＮサービスＧＷ１８には、加入者局１０が接続する。この加入者局１０には、複数の加入者端末２６が接続する。
【００９５】
以下、放送サービスセッション（３）の動作を詳細に説明する。
【００９６】
（動作１）データ転送準備
まず、サービスセル１００の配信管理サーバ２０は、データの転送を準備する。具体的には、図６（ａ）に示すように、配信管理サーバ２０は、サービスセル１００の加入者局１０に配信指定の要求を行う。これに応じて、図６（ｂ）に示すように、加入者局１０は、配信管理サーバ２０に配信指定の応答を返す。
【００９７】
（動作２）データ転送開始
次に、定期配信の時刻が到来した場合、データの転送が開始される。具体的には以下のような動作が実行される。
【００９８】
まず、図６（ｃ）に示すように、加入者局１０は、サービスセルの配信情報蓄積サーバ２８に配信開始の要求を行う。これに応答して、図６（ｄ）に示すように、配信情報蓄積サーバ２８は、加入者局１０に配信開始の応答を返す。
【００９９】
次に、図６（ｅ）に示すように、配信情報蓄積サーバ２８は、サービスセルの加入者局１０にデータを送信する。なお、そのデータはＵｎｉｃａｓｔで送信する。
【０１００】
その後、図６（ｆ）に示すように、加入者局１０は、配信情報蓄積サーバ２８から送信されてきたデータを、加入者端末２６に送信する。なお、そのデータは、Ｍｕｌｔｉｃａｓｔ、又はＢｒｏａｄｃａｓｔで送信される。
【０１０１】
（動作３）データ転送停止
定期配信が完了し、データ転送が停止する動作は、以下の通りである。
【０１０２】
まず、図６（ｇ）に示すように、加入者局１０は、配信を停止するとともに、配信情報蓄積サーバ２８に配信停止を要求する。これに応答して、図６（ｈ）に示すように、サービスセルの配信情報蓄積サーバ２８は、加入者局１０に応答を返す。  
次に、図６（ｉ）に示すように、加入者局１０は、配信管理サーバ２０に配信終了の報告を行う。このようにしてデータの転送が停止する。
【０１０３】
以上述べたような流れによって、配信情報蓄積サーバ２８に蓄積されたデータを、加入者端末２６に定期的に配信することができる。
【０１０４】
なお、図６では、１個のサービスセル１００のみを説明したが、配信場所が複数のセルである場合は、そのセル全ての配信情報蓄積サーバ２８に予め配信するデータを格納しておく。また、１個のサービスセル１００内の配信情報蓄積サーバ２８に予め配信するデータを格納しておき、その１個の配信情報蓄積サーバ２８から、全てのセルに向けて情報を配信することも場合によっては好ましい。
【０１０５】
３−４  インターネットからの情報配信サービス（４）
これまで述べた例では、情報配信システム５内に、情報提供者及び配信を受ける者の双方が存在する場合を説明したが、情報提供者が外部に位置してもかまわない。例えばインターネット経由で情報を、本情報配信システム５内に対して配信することも好ましい。
【０１０６】
本インターネット３２からの情報配信サービス（４）はそのようなサービスである。
【０１０７】
図７にはインターネット３２からの情報配信サービス（４）の動作を説明するための説明図が示されている。インターネット３２から、情報配信サービスを利用するために、本実施の形態では、ＶＰＮサービスＧＷ１８ｃをインターネット３２と本サービス網との間に接続する構成を採用した。これによって、インターネット３２上に存在する配信情報提供者が本サービスを利用可能となる。
【０１０８】
図７に示すように、サービスセル−３のＶＰＮサービスＧＷ１８ｃは、インターネット３２と基地局１２ｃとに接続する。そして、この基地局１２ｃは、サービスセル−１の基地局１２ａと、サービスセル−２の基地局１２ｂと、互いに接続している。
【０１０９】
また、これまで述べた通り、サービスセル−１の基地局１２ａには、ＶＰＮサービスＧＷ１８ａが接続されており、このＶＰＮサービスＧＷ１８ａには、加入者局１０ａが接続している。また、このＶＰＮサービスＧＷ１８ａには、配信情報蓄積サーバ２８ａ及び放送管理サーバ３４ａが接続している（図７参照）。
【０１１０】
サービスセル−２の基地局１２ｂにも、同様に、ＶＰＮサービスＧＷ１８ｂが接続されており、このＶＰＮサービスＧＷ１８ｂには、加入者局１０ｂが接続するとともに、配信情報蓄積サーバ２８ｂ及び放送管理サーバ３４ｂが接続している（図７参照）。
【０１１１】
また、加入者局１２ａ及び１２ｂには、複数の加入者端末２６が接続する（図７参照）。  
このような構成の下、インターネット３２上に存在する情報提供者は、ＶＰＮサービスＧＷ１８ｃに接続して、基地局１２ｃを介して、上記情報配信サービスセッション（１）、放送サービスセッション（２）、放送サービスセッション（３）に記述された各サービスを利用することが可能である。
【０１１２】
その動作は、情報の提供者が、サービスセル−１やサービスセル２ではなく、サービスセル−３にいるという点が異なるだけで、それ以外の動作は、全て図３、図５、図６と同様である。
【図面の簡単な説明】
【０１１３】
【図１】本実施の形態の情報配信システムの概要を示す説明図である。
【図２】本実施の形態の情報配信システムの具体的な構成を示す説明図である。
【図３】情報配信サービスセッション（１）の説明図である。
【図４】本実施の形態の情報配信システムのシステム構成ＵＮＩＴ機能図である。
【図５】放送サービスセッション（２）の説明図である
【図６】放送サービスセッション（３）の説明図である。
【図７】インターネットからの情報配信サービス利用を表した説明図である。
【符号の説明】
【０１１４】
５  情報配信システム
１０、１０ｘ、１０ｙ、１０ａ、１０ｂ、１０ｃ  加入者局
１２、１２ａ、１２ｂ  基地局
１４  パソコン
１６、１６ａ、１６ｂ、１６ｃ  携帯端末
１８  ＶＰＮサービスＧＷ
２０  配信管理サーバ
２２  放送コンテンツ用配信サーバ
２４  配信端末
２６  加入者端末
２８、２８ａ、２８ｂ  配信情報蓄積サーバ
３０  情報提供者
３２  インターネット
３４  放送管理サーバ
４０  事業者
５０  利用者
６０  外部網
７０  商業ビル
１００、１００ａ、１００ｂ、１００ｃ  セル  
【図１】
0004689438.tif 000002
【図２】
0004689438.tif 000003
【図３】
0004689438.tif 000004
【図４】
0004689438.tif 000005
【図５】
0004689438.tif 000006
【図６】
0004689438.tif 000007
【図７】
0004689438.tif 000008